(57)【要約】【課題】安定で且つ精度のよい板幅制御を可能とする。【解決手段】複数の圧延スタンドを備える連続圧延機の板幅制御方法において、板幅予測モデルを複数設定し、この複数の板幅予測モデルから入側張力に応じて少なくとも１つを選択し、選択された板幅予測モデルから当該スタンドの出側板幅を算出し、前記算出された出側板幅をパラメータとする評価関数を設定して、予測時間全体に亘って当該評価関数が最小となるように、各予測時刻における当該スタンドの入側張力を算出する。【選択図】図２
2005028435.tif 000002
【特許請求の範囲】
【請求項１】
複数の圧延スタンドで圧延材に張力をかけながら圧延する連続圧延機で、当該スタンドの出側板幅の実績値と目標値との偏差をなくすように、当該スタンドの入側張力を制御する連続圧延機の板幅制御方法において、
当該スタンドの出側板幅と入側張力とをパラメータとする板幅予測モデルを入力張力レベルに応じて複数設定し、この複数の板幅予測モデルから入側張力に応じて少なくとも１つを選択し、選択された板幅予測モデルを用いて、将来の複数の予測時刻における当該スタンドの出側板幅を算出し、前記算出された出側板幅をパラメータとする評価関数を設定して、予測時間全体に亘って当該評価関数が最小となるように、各予測時刻における当該スタンドの入側張力を算出し、前記算出された入側張力を当該スタンドの入側張力とすることを特徴とする連続圧延機の板幅制御方法。
【請求項２】
前記評価関数は、出側板幅の予測値と目標値との偏差の二乗積分をパラメータとして有していることを特徴とする請求項１に記載の連続圧延機の板幅制御方法。
【請求項３】
前記板幅予測モデルに、現時刻での出側板幅と入側張力とを入力することで、複数の予測時刻における当該スタンドの出側板幅を算出することを特徴とする請求項１又は２に記載の連続圧延機の板幅制御方法。
【請求項４】
前記予測された入側張力のうち、次時刻における入力張力を当該スタンドの入力張力とすることを特徴とする請求項１〜３のいずれかに記載の連続圧延機の板幅制御方法。
【請求項５】
当該スタンドにおける入力張力と出側板幅変化量の関係を線形近似することで得られる近似直線の傾き量を算出して、前記板幅予測モデルを、当該傾き量をパラメータとして有する線形式とすることを特徴とする請求項１〜４のいずれかに記載の連続圧延機の板幅制御方法。
【発明の詳細な説明】
【技術分野】
【０００１】
本発明は、連続圧延機の板幅制御方法に関するものである。
【背景技術】
【０００２】
従来から、薄鋼板等の圧延材は、加熱されたスラブを連続圧延機に導入して、複数の圧延スタンドで連続的に圧延することで製造されており、各スタンド間には、スタンド入側での張力を調整するためのルーパ等が備えられており、このルーパにより張力を調整することで、圧延材の板幅等を制御するようにしていた（張力制御系）。
このような張力制御系は、それ自体複雑であると共に、板厚制御系等と相互に連携し複雑な制御系を構成していた。ゆえに、従来から、張力制御系をコントロールして板幅等を制御する際にはＰＩＤ制御法や最適制御法等の手法が用いられていた。
【０００３】
例えば、特許文献１に記載の板幅制御方法は、粗圧延後の圧延材の板幅時系列データと、仕上げ圧延後の板幅時系列データと、単一の動的モデルに基づいて、それら時系列データ及び動的モデルに対する評価関数が最小となるように仕上げ圧延の圧延条件を設定するものとなっていた。
【特許文献１】特許第３１７５５６０号公報  （第２〜５頁、図１）
【発明の開示】
【発明が解決しようとする課題】
【０００４】
しかしながら、圧延スタンドで圧延される圧延材においては、板幅変動と張力変動との間には、例えば、圧延荷重と板厚との関係に見られる線形性はなく、強い非線形関係があることが周知となっている。
ゆえに、特許文献１のように、単一のモデルを用いて、連続圧延機の板幅制御を行おうとしても、非線形性の強い部分において、その精度が非常に悪いものとなり、板幅を安定して制御することが困難であった。
また、複数のモデルつまり複数の制御手段を用意し、これを切り換えて使用することも考えられるが、それぞれのモデルを統一的に取り扱うことができず、前記複数のモデルを切り換えたときに板幅制御が不安定となることがあった。
【０００５】
そこで、本発明は、上記問題点に鑑み、非線形性の強い圧延材の張力変動と板幅変動との関係を複数の板幅予測モデルを用いて表現し、かかる複数の板幅制御モデルを用いることで安定で且つ精度のよい板幅制御を可能とする連続圧延機の板幅制御方法を提供することを目的とする。
【課題を解決するための手段】
【０００６】
前記目的を達成するため、本発明においては以下の技術的手段を講じた。
すなわち、本発明における課題解決のための技術的手段は、複数の圧延スタンドで圧延材に張力をかけながら圧延する連続圧延機で、当該スタンドの出側板幅の実績値と目標値との偏差をなくすように、当該スタンドの入側張力を制御する連続圧延機の板幅制御方法において、当該スタンドの出側板幅と入側張力とをパラメータとする板幅予測モデルを入力張力レベルに応じて複数設定し、この複数の板幅予測モデルから入側張力に応じて少なくとも１つを選択し、選択された板幅予測モデルを用いて、将来の複数の予測時刻における当該スタンドの出側板幅を算出し、前記算出された出側板幅をパラメータとする評価関数を設定して、予測時間全体に亘って当該評価関数が最小となるように、各予測時刻における当該スタンドの入側張力を算出し、前記算出された入側張力を当該スタンドの入側張力とすることを特徴とする。
【０００７】
この技術的手段によれば、連続圧延機において、従来のように複数の制御手段（モデル）を切り換えることなく、入側張力に応じて複数の板幅予測モデルの１つを選択し、それを用いて将来の複数の予測時刻における当該スタンドの出側板幅を算出し、この出側板幅をパラメータとする評価関数が最小となるように求められた入側張力を当該圧延スタンドの入側張力とすることで、安定で且つ精度のよい板幅制御を行うことが可能となる。
詳しくは、圧延中に入側張力のレンジが変化した場合であっても、入側張力に応じた板幅予測モデルを使用して出側板幅及び入側張力を予測するため、常に安定且つ応答性の高い板幅制御が実現できるようになる。
【０００８】
また、本発明における課題解決のための技術的手段は、前記評価関数は、出側板幅の予測値と目標値との偏差の二乗積分をパラメータとして有していることを特徴とする。
この技術的手段によれば、出側板幅の予測値と目標値との偏差の二乗積分をパラメータとした評価関数を設定し、この評価関数が最小となるように、各予測時刻における当該スタンドの入側張力を算出することで、安定で且つ精度のよい板幅制御を行うことが可能となる。
また、本発明における課題解決のための技術的手段は、前記板幅予測モデルに、現時刻での出側板幅と入側張力とを入力することで、複数の予測時刻における当該スタンドの出側板幅を算出することを特徴とする。
【０００９】
この技術的手段によれば、現時刻での出側板幅と入側張力とを基にして、当該スタンドの出側板幅を予測することができるようになる。
また、本発明における課題解決のための技術的手段は、前記予測された入側張力のうち、次時刻における入力張力を当該スタンドの入力張力とすることを特徴とする。
この技術的手段によれば、予測された入側張力時系列データ中、次時刻の入側張力を圧延スタンドの入側張力として採用することで、安定で且つ精度のよい板幅制御を行うことが可能となる。
【００１０】
また、本発明における課題解決のための技術的手段は、当該スタンドにおける入力張力と出側板幅変化量の関係を線形近似することで得られる近似直線の傾き量を算出して、前記板幅予測モデルを当該傾き量をパラメータとして有する線形式とすることを特徴とする。
この技術的手段によれば、板幅予測モデルを、当該スタンドにおける入力張力と出側板幅変化量の関係を反映した線形式とすることができる。
【発明の効果】
【００１１】
本発明によれば、非線形性の強い圧延材の張力変動と板幅変動との関係を複数の板幅予測モデルを用いて表現し、かかる板幅制御モデルを用いることで、安定で且つ精度のよい板幅制御が可能となる。
【発明を実施するための最良の形態】
【００１２】
以下、本発明にかかる連続圧延機の板幅制御方法を、薄鋼板の熱間連続圧延機を例示して説明する。
薄鋼板等の圧延材は、加熱されたスラブ材をまず粗圧延スタンドに導入し、その後、連続圧延機である仕上げ圧延スタンドに導入することにより製造される。
各圧延スタンド間には、圧延材の長手方向の張力（以下、張力と呼ぶ）を調整するためのルーパ（張力調整手段）等が備えられいる。この張力調整手段により張力を調整することで、圧延材の板幅等を制御するようになっている。
【００１３】
図１は、連続圧延機１の構成の一部を示したものである。圧延スタンドＡで圧延された圧延材２は、圧延材２の長手方向下流側に配置された圧延スタンドＢ（当該スタンド）でさらに圧延を施されるようになっており、両圧延スタンドＡ，Ｂ間には張力調整手段３であるルーパが設けられている。
ルーパ３には、圧延材２に接するルーパロール４が片持ち状に設けられており、その支点を中心として、ルーパロール４が圧延材２を持ち上げる方向に動くことが可能となっている。ルーパロール４が圧延材２を持ち上げて押圧することで、圧延材２の張力が増加することになり、ルーパ３は圧延材２の張力を調整可能となっている。
【００１４】
また、このルーパ３には荷重計や加速度計が取り付けてあり（図示せず）、これらからデータをもとに、現在の圧延スタンドＢ入側での張力すなわち入側張力を計測することが可能となっている。
圧延スタンドＢの出側には、出側板幅を計測するための板幅計５が設置してあり、その計測データすなわち出側実績板幅は、連続圧延機１に設けられた制御手段６に入力され、後述の板幅制御方法に基づいて、次制御周期における入側張力を予測し、張力調整手段３を介して圧延スタンドＢの入側張力とするようになっている。
【００１５】
前記制御手段６の中で処理される連続圧延機の板幅制御方法について、図２のブロック図、図３，図４のフローチャートに基づいて説明する。
図２に示す如く、本実施形態の板幅制御方法は、大きく、予測機能と張力決定機能とに分かれている。前記予測機能は、現在の出側板幅と、現在の入側張力と、将来の入側張力の時系列データとを入力とし、入側張力レベルに応じた複数の板幅予測モデル（詳細は後述）を用いて、将来の出側板幅の時系列データを求めるものである。
前記張力決定機能とは、前記複数の板幅予測モデルを用いて、前記予測された出側板幅をパラメータとした評価関数が最小になるように、将来の入側張力の時系列データを求めるものである。
【００１６】
以下、図３に基づいて、予測機能の処理手順について述べる。
まず、圧延スタンドＢにおいて、現時刻（ｔ＝０）での出側実績板幅ｗ（０）を板幅計５から、現時刻での入側実績張力σ（０）を張力調整手段３から取得する。（Ｓ３１）
取得したｗ（０）とσ（０）とを基に、張力σ（０）に応じた板幅予測モデルを選択した上でそれを用い、１制御周期先すなわち次時刻（ｔ＝１）の出側予測板幅ｗ（１）を算出するようにする。（Ｓ３２）
ここで、制御周期は任意時間を採用することが可能であり、例えば、数十ｍｓｅｃとするとよい。
【００１７】
前記処理ステップＳ３１で使用した複数の板幅予測モデルは、［数１］の（１）〜（３）に示される３つの数式モデルであり、圧延スタンドＢの出側板幅と入力張力とをパラメータ（変数）として含んでいる。［数１］の各式はそれぞれ、一つの状態方程式（ｘ（ｔ＋１）＝・・・）と出力方程式（ｗ（ｔ）＝・・・）とから構成されている。
【００１８】
【数１】
2005028435.tif 000003
【００１９】
ここで、σは入側張力（ｋｇ／ｍｍ）、ｗは出側板幅（ｍｍ）、ｘは状態変数である。Ａ１〜Ａ３，ｂ１〜ｂ３，ｃ１〜ｃ３は係数行列であり、ｔは時刻である。
なお、係数ｂは、図５に示された近似直線（線形化モデル）の傾き量を示すものである。
図５は、圧延材の温度、板厚、移送速度を一定とした場合における、圧延スタンドで圧延される圧延材２の入力張力σ（ｔ）と、板幅減少量Δｗ（ｔ）との関係を示したものである。図からわかるように、両者は曲線で示される関係すなわち非線形関係を有しており、入側張力を増加させると出側板幅への影響が大きくなるようになっている。
【００２０】
本実施形態の場合、この曲線を３つの直線（線形化モデル１〜３）で近似し、各直線の傾きをｂ１，ｂ２，ｂ３としている。
板幅予測モデルを用いて計算を行う際は、入側張力の値σ（０）のレンジに応じて、［数１］の（１）〜（３）のいずれか一つを用いるようにする。例えば、入側張力σ（０）が１．３（ｋｇ／ｍｍ）以下である場合は、［数１］の（１）を用いるようにする。
なお、Ｓ３１の処理ステップでは、状態変数ｘ（０）は適切に設定するものとする。
次に、圧延スタンドＢにおける、２制御周期先（次々時刻、ｔ＝２）の出側予測板幅ｗ（２）を算出するようにする。（Ｓ３３）
現段階では、将来の入側張力の時系列データが求まっていないため、入側張力σ（１）としては任意且つ現実的な値を設定する。この任意の入側張力σ（１）と前段の処理ステップ（Ｓ３１）で求められたｗ（１）を用いて、σ（１）の値に応じた板幅予測モデルを基に、ｔ＝２での出側予測板幅ｗ（２）を算出する。
【００２１】
以下、同様の処理手順を踏むことにより、ｔ＝Ｔとなるまで、任意の入側張力σ（ｔ−１）を与え、このσ（ｔ−１）と前段の処理ステップで求められたｗ（ｔ−１）を用いて、σ（ｔ−１）の値に応じた板幅予測モデルを基に、予測時刻ｔでの出側予測板幅ｗ（ｔ）を算出する。（Ｓ３４）
以上の処理を繰り返し行うことで、ｔ＝１〜Ｔまで、すなわち将来に亘る複数時刻での出側予測板幅ｗ（ｔ）を算出するできる。
次に、図４に示すステップに基づいて、算出された出側予測板幅ｗ（１）〜ｗ（Ｔ)から、最適制御の考え方に基づき、将来の複数時刻における入側張力σ（１）〜σ（Ｔ）を求める（張力決定機能）。
【００２２】
まず、圧延スタンドＢの出側板幅と入側張力とをパラメータとする板幅予測モデル［数１］を１つにまとめて、等価変形し、［数２］を導出する。
【００２３】
【数２】
2005028435.tif 000004
【００２４】
ここで、Ａ，Ｂ１〜Ｂ３，Ｃ，Ｄ１〜Ｄ３，Ｅ１〜Ｅ５は係数行列であり、ｄはバイナリ変数、ｚは連続値補助変数である。バイナリ変数ｄとは、０又は１の値を取る変数であり、ｄ＝０の場合は、それが乗じられている項は無いものとなる。すなわち、［数１］における「ｉｆ  σ＜１．３（σが１．３未満であれば）」等に対応するものである。
この［数２］に対して、［数３］の評価関数を導入する。この評価関数Ｊは、各予測時刻における出側板幅ｗ（ｔ）とその目標値ｗ１（ｗaim)との差の二乗をｔ＝０からＴ−１まで加えた（積分した）ものを、パラメータ（変数）として有している。
【００２５】
【数３】
2005028435.tif 000005
【００２６】
ここで，Ｔは、何ステップ先まで予測するかを決定づける値であり、Ｑ１〜Ｑ５は、重み行列であり、添え字１のついた値は目標値である。‖ｘ‖Qは、ｘT・Ｑ・ｘを意味する。
この評価関数Ｊが最小値を取るような制約条件の下で、［数２］を解くことにより、将来の複数時刻における最適な入側張力の時系列データ、すなわち目標値との誤差が将来にわたって最も小さくなる入側張力σ（１）〜σ（Ｔ）を求めることができる。（Ｓ４１）
具体的には、［数２］と［数３］とを連立させ整理すると、［数４］を導出できる。この［数４］を解くことで入力張力時系列σ（１）〜σ（Ｔ）を予測することができる。
【００２７】
【数４】
2005028435.tif 000006
【００２８】
ここで、Ｓ１〜Ｓ３，Ｆ１〜Ｆ３は、Ａ，Ｂ１〜Ｂ３，Ｃ，Ｄ１〜Ｄ３，Ｅ１〜Ｅ５，Ｑ１〜Ｑ５から求まる係数行列であり、「’」のついた行列は転置行列である。［数４］中の「ｓｕｂｊ  ｔｏ」は、「このような制約条件において」を意味し、「ｍｉｎv」は、「この式において最小となるＶを探す」を意味している。
［数４］を解くことは、数学における混合整数２次計画問題といわれるものであって、近年の研究成果から解を求めることが可能となっている。ゆえに、制御周期毎に［数４］を解き、Ｖの第１要素であるσ（ｔ）を張力指令とすることにより、板幅予測モデル［数１］に対する評価関数Ｊを最小化する意味での最適制御入力が求まることとなる。
【００２９】
このようにして求められた入側予測張力の時系列データσ（１）〜σ（Ｔ）を圧延スタンドＢに適用して板幅制御を行う。
本実施形態の場合は、前記入側予測張力の時系列データσ（１）〜σ（Ｔ）の内で、次時刻の入側予測張力σ（１）すなわち時系列データの最初のσを、圧延スタンドＢの入側張力として適用する。（Ｓ４２）
換言すれば、σ（１）を制御手段６より出力し、張力調整手段３に入力する。張力調整手段３は、圧延材２の入側張力が予測値σ（１）となるように、ルーパロール４の押圧力を調整する。
【００３０】
入側予測張力σ（１）を圧延スタンドＢに適用した後、次の制御周期（ｔ＝１）での予測計算は、ｔ＝１を現時刻と考えて、将来にわたる複数の時刻における出側予測板幅ｗ（２）〜ｗ（Ｔ）を算出する。
その際、図６に示すように、当該張力決定のための繰り返し計算では、入力張力の初期値として、１つ前の制御周期で予測されたσ（１）〜σ（Ｔ）を採用すると共に、現在の出側板幅としては、１つ前の制御周期で予測されたｗ（１）を用いるようにする。その後、前述の処理ステップを順次行うことで、入側張力時系列データσ（２）〜σ（Ｔ）を予測することができ、入側予測張力σ（２）を圧延スタンドＢに適用するようにする。
【００３１】
同様に、次の制御周期（ｔ＝２）での予測計算は、入側張力の初期値として、１つ前の制御周期で予測されたσ（２）〜σ（Ｔ）を採用すると共に、現時刻での出側板幅としては、１つ前の制御周期で予測されたｗ（２）を初期値として用いるようにする。その後、前述の処理ステップを順次行うことで、入側張力時系列データσ（３）〜σ（Ｔ）を得ることができ、入側予測張力σ（３）を圧延スタンドＢに適用するようにする。
制御周期毎に、これらデータシフト処理及び複数から選択された板幅予測モデルによる予測計算を順次繰り返すことにより、各制御周期における入側予測張力の時系列データが求まり、それぞれの時系列データでの最初の入側張力σを、圧延スタンドＢの入側張力とするようにすることで、圧延スタンドＢを制御するようにする。
【００３２】
これにより、安定で且つ精度のよい板幅制御が可能となる。詳しくは、従来のように、それぞれの板幅予測モデル毎に制御手段を設計しておき、入側張力に応じて、制御手段を切り換えたり制御ゲインを変更する手法に比べて、格段に安定した制御が可能となる。
本実施形態では、前記制御方法を制御手段を通じて、オンラインで行っているが、オフライン計算をしておき、得られたデータに基づいて圧延スタンドを制御するようにしても何ら問題はない。
図７には、本実施形態にかかる板幅制御方法を圧延スタンドＢに適用した際の、板幅実測値の一例を示している。
【００３３】
この図の横軸は、板幅の減少量を示しており、縦軸は、例えば、予測板幅と制御後の実績板幅との偏差等から算出される板幅制御誤差を示している。
板幅減少量が２ｍｍ近傍で線形化された単一モデルを用いた場合、入側張力が増加し出側板幅減少量が増加するに従い（板幅減少量が４ｍｍに近づくに従い）、板幅制御誤差が増加していることがわかる。
逆に、板幅減少量が４ｍｍ近傍で線形化された単一モデルを用いた場合、入側張力が減少し出側板幅減少量が少なくなるに従い（板幅減少量が２ｍｍに近づくに従い）、板幅制御誤差が一旦は減少するものの再度増加していることがわかる。
【００３４】
しかしながら、本実施形態にかかる板幅制御方法を用いると、いずれの場合でも単一モデルの場合より、板幅制御誤差の値が小さくなり、良好な制御が行われていることがわかる。
図８，図９には、本実施形態にかかる板幅制御方法を用いて、板幅制御のシミュレーションを行った際の結果例を示している。
シミュレーションの条件は、以下の通りである。
板幅予測モデルの条件は、複数（３つ）のモデルを用いた場合（３分割）、入側張力が１ｋｇ／ｍｍ近傍で最適なモデルを用いた場合（分割なし（Ｉ））、入側張力が３ｋｇ／ｍｍ近傍で最適なモデルを用いた場合（分割なし（ＩＩ））の３パターンを考える。
【００３５】
板幅目標値としては、現在の目標板幅から２ｍｍ板幅を増やす場合（＋２ｍｍとした場合）と、現在の目標板幅から板幅をプラス４ｍｍとする場合（＋４ｍｍとした場合）との２パターンを考えている。
これらのパターンを考えることで、入側張力のレベルが変わった場合、すなわち、［数１］の（１）〜（３）の全ての数式モデルを使用する場合で、板幅制御方法の効果の差が検討できることになる。
板幅目標値を＋２ｍｍとした場合、分割なし（ＩＩ）のケースについて、目標値に近づく過程の制御において明らかなオーバシュートが見られると共に、板幅目標値を＋４ｍｍとした場合では、分割なし（Ｉ）のケースにおいて、同様な大きなオーバシュートが見られる。本実施形態の板幅制御方法ではいずれの場合であっても、オーバシュートなく、良好に板幅の制御が行われている。
【００３６】
なお、本発明にかかる連続圧延機の板幅制御方法は、上記実施の形態に限定されるものではない。
すなわち、薄鋼板の熱間連続圧延を例示して説明を行ったが、厚鋼板でもよく、冷間圧延であってもよい。
また、張力調整手段３としてルーパを用いるのではなく、圧延スタンドＡ，Ｂのワークロールの回転速度に差をつけることで、圧延材２の張力（入側張力）を調整するようにしてもよい。
【産業上の利用可能性】
【００３７】
本発明にかかる板幅制御方法は、圧延材における張力と板幅のような非線形性の強い制御対象に有効であると共に、他の非線形性の強い制御対象にも適用可能である。
【図面の簡単な説明】
【００３８】
【図１】本実施形態が適用される連続圧延機の構成を示した図である。
【図２】本実施形態のブロック図である。
【図３】予測機能のフローチャートである。
【図４】張力決定機能のフローチャートである。
【図５】入側張力と出側板幅減少量の関係を線形化することを示す図である。
【図６】予測された入側張力の時系列データを次時刻の予測に用いることを示す図である。
【図７】本実施形態の結果の一例を示す図である。
【図８】本実施形態の結果の一例を示す図である。
【図９】本実施形態の結果の一例を示す図である。
【符号の説明】
【００３９】
１    連続圧延機
２    圧延材
３    張力調整手段
６    制御手段
【図１】
2005028435.tif 000007
【図２】
2005028435.tif 000008
【図３】
2005028435.tif 000009
【図４】
2005028435.tif 000010
【図５】
2005028435.tif 000011
【図６】
2005028435.tif 000012
【図７】
2005028435.tif 000013
【図８】
2005028435.tif 000014
【図９】
2005028435.tif 000015